(57)【要約】【課題】リングベルトを有するエコボトルキャップを提供する。【解決手段】リングベルトを有するエコボトルキャップ１０はキャップ体１１と安全リング１２を有し、キャップ体１１と安全リング１２の間にはリングベルト１３を有し、リングベルト１３とキャップ体１１側壁１１１と安全リング１２はそれぞれ断裂可能な数個のブリッジ点１４、１５により連接される。リングベルト１３は少なくとも１個の連接部１７、１８を有し、キャップ体１１及び安全リング１２の両者或いはいずれかと分離不可能な連接である。すべてのブリッジ点１４、１５が断裂すると、リングベルト１３を外側へとひっくり返し、ボトルキャップ１０のリング状持ち手とする。【選択図】図１
0003216664.tif 000002
【実用新案登録請求の範囲】
【請求項１】
リングベルトを有するエコボトルキャップであって、
前記ボトルキャップは、キャップ体と安全リングを有し、
前記キャップ体と前記安全リングの間には、リングベルトを有し、
前記リングベルトと前記キャップ体側壁と前記安全リングは、それぞれ断裂可能な数個のブリッジ点により連接され、
前記リングベルトは、第一連接部と第二連接部を有し、
前記第一連接部と前記安全リングは、分離不可能な連接で、
前記第二連接部と前記キャップ体側壁は、分離不可能な連接で、
前記第一連接部と前記第二連接部は、縦方向カッティング線を通して、分かれることを特徴とする、
リングベルトを有するエコボトルキャップ。
【請求項２】
前記第一連接部と前記第二連接部の円周の長さは等しいことを特徴とする請求項１に記載のリングベルトを有するエコボトルキャップ。
【請求項３】
すべての前記ブリッジ点が断裂すると、前記第一連接部と前記第二連接部は接触し、前記リングベルトはリング状を呈し、前記ボトルキャップ外部に延伸するリング状持ち手となることを特徴とする請求項２に記載のリングベルトを有するエコボトルキャップ。
【請求項４】
すべての前記ブリッジ点が断裂すると、前記第一連接部と前記第二連接部は、１８０度離れ、前記リングベルトは前記ボトルキャップ上方を跨ぐリング状持ち手となることを特徴とする請求項２に記載のリングベルトを有するエコボトルキャップ。
【請求項５】
前記第一連接部の円周は、前記第二連接部の円周より長いことを特徴とする請求項１に記載のリングベルトを有するエコボトルキャップ。
【考案の詳細な説明】
【技術分野】
【０００１】
本考案はリングベルトを有するボトルキャップに関し、特にオープン後のキャップ体が離脱してなくなることがなく、リングベルトは持つ時のリング状持ち手となるリングベルトを有するエコボトルキャップに関する。
【背景技術】
【０００２】
プラスチック飲料ボトル或いは大容量水ボトルを使用者が持つ時には、従来の技術では、ボトルの頸部にリング状持ち手を嵌めて設置する。
リング状持ち手は、独立したパーツで、ボトルキャップとは、連接関係がない。
製造工程では、ボトルのネック部に先ずリング状持ち手を嵌めた後、キャップを閉めて密封するため、製造工程のプロセスが一つ多くなっている。
また、リング状持ち手の環状取り上げ部は、外へ広がっているため、ボトルを並べると相互に干渉する。
【考案の概要】
【考案が解決しようとする課題】
【０００３】
前記先行技術では、製造工程のプロセスが多く、またリング状持ち手の環状取り上げ部が外へ広がっているため、ボトルを並べると相互に干渉する欠点がある。
【課題を解決するための手段】
【０００４】
本考案はリングベルトを有するエコボトルキャップに関する。
【０００５】
本考案によるリングベルトを有するエコボトルキャップにおいて、該ボトルキャップは、キャップ体と安全リングを有する。
該キャップ体と該安全リングの間には、リングベルトを有し、該リングベルトと該キャップ体側壁と該安全リングは、それぞれ断裂可能な数個のブリッジ点により連接される。
該リングベルトは、第一連接部と第二連接部を有し、該第一連接部と該安全リングは、分離不可能な連接で、該第二連接部と該キャップ体側壁は、分離不可能な連接である。
該第一連接部と該第二連接部は、縦方向カッティング線を通して、分かれる。
【０００６】
好ましくは、該第一連接部と該第二連接部の円周の長さは等しい。
【０００７】
好ましくは、すべてのブリッジ点が断裂すると、該第一連接部と該第二連接部は接触し、該リングベルトはリング状を呈し、該ボトルキャップ外部に延伸するリング状持ち手となる。
【０００８】
好ましくは、すべてのブリッジ点が断裂すると、該第一連接部と該第二連接部は、１８０度離れ、該リングベルトは該ボトルキャップ上方を跨ぐリング状持ち手となる。
【０００９】
好ましくは、該第一連接部の円周は、該第二連接部の円周より長い。
【００１０】
好ましくは、該第一連接部の円周は、該ボトルキャップの半円周に等しい。
【００１１】
好ましくは、すべてのブリッジ点が断裂すると、該第一連接部と該第二連接部は接触し、該リングベルトはリング状に該ボトルキャップ外部に延伸するリング状持ち手となる。
【００１２】
本考案の効果は以下の通りである。
該リングベルトは、オープン後のボトルキャップを安全リングに連結させる機能を有するため、ボトルキャップが離脱してなくなることはなく、これにより、ボトルキャップが適当に捨てられることによる環境上の問題を減らせ、エコ理念に適合する。
リングベルトは、リング状持ち手の機能をも有するため、使用者はこれによりプラスチックボトルを持つことができる。
安全リングとキャップ体の間には、該リングベルトを設置し、キャップを閉めて密封するプロセスで、リングベルトをいっしょにボトル口に結合できる。
【図面の簡単な説明】
【００１３】
【図１】本考案第一実施形態の立体外観図である。
【図２】本考案第一実施形態の使用模式図の一である。
【図３】本考案第一実施形態の使用模式図の二である。
【図４】本考案第一実施形態の右側立体視角から示す使用模式図の三である。
【図５】本考案第一実施形態の左側立体視角から示す使用模式図の三である。
【図６】本考案第二実施形態の立体外観図である。
【図７】本考案第二実施形態の使用模式図の一である。
【図８】本考案第二実施形態の使用模式図の二である。
【考案を実施するための形態】
【００１４】
（一実施形態）
図１に示す通り、ボトルキャップ１０は、キャップ体１１と安全リング１２を有する。
リングベルト１３は、キャップ体１１と安全リング１２の間に位置する。
リングベルト１３とキャップ体１１の側壁１１１、及び安全リング１２は、それぞれ断裂可能な数個のブリッジ点１４、１５により連接される。
カッティング線１６により、リングベルト１３は切れて離れるが、なお緊密に接触する。
カッティング線１６の左側近くは、リングベルト１３の第一連接部１７で、カッティング線１６の右側近くは、リングベルト１３の第二連接部１８である。
第一連接部１７と第二連接部１８の円周の長さは等しい。
第一連接部１７と安全リング１２は、分離不可能な連接で、第二連接部１８と側壁１１１は、分離不可能な連接である。
ボトルキャップ１０は、プラスチックボトル９０のボトル口９１に結合する。
【００１５】
図２に示す通り、キャップ体１１を回して開けると、キャップ体１１は、ボトル口９１のスレッド９２に従い移動する。
安全リング１２は、ボトル口９１の係止リング９３に係止される。
すべてのブリッジ点１４、１５は、キャップ体１１の回転トルクにより断裂して離れる。
リングベルト１３は、カッティング線１６から分離し、環状から線状へと変化する。
第一連接部１７と第二連接部１８は、安全リング１２とキャップ体１１になお連接しているため、開かれたキャップ体１１は、線状のリングベルト１３を通して、安全リング１２に連接し、キャップ体１１が離脱してなくなることはない。
【００１６】
図３に示す通り、キャップ体を再びボトル口に戻して閉める前に、リングベルト１３を外側へとひっくり返すと、これによりリングベルト１３がボトル口９１の周囲を取り囲まない。
しかも、リングベルト１３を外へと引き、第一連接部１７と第二連接部１８を接触させる。
リングベルト１３は、リング状を呈して、ボトルキャップ１０外部に延伸し、ボトルキャップ１０のリング状持ち手となる。
こうして、使用者はプラスチックボトル９０を持つことができる。
リングベルト１３を外側へひっくり返さないなら、キャップ体を再びボトル口に戻して閉めると、リングベルト１３は、ボトル口９１を取り囲み、キャップ体１１と安全リング１２の間に位置する。
【００１７】
図４、図５に示す通り、キャップ体１１を再びボトル口に戻して閉める前に、リングベルト１３を上方へとひっくり返す。
これにより、リングベルト１３はボトル口９１の周囲を取り囲まない。
第一連接部１７と第二連接部１８は、１８０度離れ、これによりリングベルト１３は、ボトルキャップ１０上方をまたぐリング状持ち手となる。
【００１８】
図６に示す通り、図１に示す実施形態との差異は、以下の通りである。
リングベルト１３’の第一連接部１７’の円周は、第二連接部１８’の円周より長い。
第一連接部１７’の円周は、ボトルキャップ１０’の半円円周である。
【００１９】
図７に示す通り、キャップ体１１を回して開けると、すべてのブリッジ点１４、１５は、キャップ体１１の回転トルクにより断裂して離れる。
リングベルト１３’は、カッティング線１６から離れ、線状になる。
第一連接部１７’と第二連接部１８’は、安全リング１２とキャップ体１１になお連接しているため、開かれたキャップ体１１は、線状のリングベルト１３’を通して、安全リング１２に連接し、キャップ体１１が離脱してなくなることはない。
【００２０】
図２に示す実施形態との差異は、以下の通りである。
図７に示す通り、第一連接部１７’の円周は、図２に示す第一連接部１７の円周より長い。
よって、図７に示すリングベルト１３’の線の長さは、図２に示すリングベルト１３の線の長さより短い。
【００２１】
図８に示す通り、キャップ体１１を再びボトル口に９１に戻して閉め、リングベルト１３’を外へと引く。
すると、第一連接部１７’と第二連接部１８’は接近或いは接触する。
リングベルト１３’はリング状を呈し、ボトルキャップ１０’外部に延伸し、ボトルキャップ１０のリング状持ち手となる。
また、リングベルト１３’を外側へひっくり返さないなら、キャップ体１０’を再びボトル口９１に戻して閉めると、リングベルト１３’は、ボトル口９１を取り囲み、キャップ体１１と安全リング１２の間に位置する。
【００２２】
前述した本考案の実施形態は本考案を限定するものではなく、よって、本考案により保護される範囲は後述される実用新案登録請求の範囲を基準とする。
【符号の説明】
【００２３】
１０  ボトルキャップ
１１  キャップ体
１１１  側壁
１２  安全リング
１３  リングベルト
１４  ブリッジ点
１５  ブリッジ点
１６  カッティング線
１７  第一連接部
１８  第二連接部
１０’  ボトルキャップ
１３’  リングベルト
１７’  第一連接部
１８’  第二連接部
９０  プラスチックボトル
９１  ボトル口
９２  スレッド
９３  係止リング
【図１】
0003216664.tif 000003
【図２】
0003216664.tif 000004
【図３】
0003216664.tif 000005
【図４】
0003216664.tif 000006
【図５】
0003216664.tif 000007
【図６】
0003216664.tif 000008
【図７】
0003216664.tif 000009
【図８】
0003216664.tif 000010